(57)【要約】【課題】凹溝（水路等）に人が落ちたりごみが入るのを防止するために前記凹溝を被覆する安全カバーを設置する際の作業効率を向上させること。【解決手段】凹溝（水路）１の側壁２，３の上端部に前記凹溝１に沿って所定間隔離れて配置された複数の各固定枠体Ｆ１のフレームに順次連結される継ぎフレーム１７，１８は、一端側の外径が他端側の内径に嵌合可能に構成されているので、１つの継ぎフレーム１７，１８の一端部に他の継ぎフレーム１７，１８の他端部を順次嵌合させて連結可能である。したがって、前記複数連結された前記継ぎフレーム１７，１８により、前記凹溝１に沿って配置された複数の各固定枠体Ｆ１の全てを順次連結することができるので、水路用安全カバー全体としての剛性を高くすることができる。【選択図】　　　図１１
2004003342.tif 000002
【特許請求の範囲】
【請求項１】
下記の作業工程（Ａ０１）〜（Ａ０３）を備えたことを特徴とする水路用安全カバーの設置作業方法、
（Ａ０１）凹溝を形成する一対の側壁の上端部にそれぞれ固定され且つ前記各側壁に沿って延びる一対の金属製のベースと、前記一対の金属ベースの両端部においてそれぞれ外端部が支持され且つ中央部が上方に湾曲する金属パイプにより構成される前記凹溝を横切るフレームとを有する複数の固定枠体を、前記凹溝に沿って所定間隔離れて配置した状態で固定する固定枠体設置作業工程、
（Ａ０２）１つの継ぎフレームの一端部に他の継ぎフレームの他端部を順次嵌合させて連結可能とするため一端側の外径が他端側の内径に嵌合可能に構成された複数の継ぎフレームを、前記凹溝に沿って順次連結するとともに、前記所定間隔離れて配置された複数の各固定枠体の凹溝を横切るフレームに順次連結する固定枠体および継ぎフレーム連結作業工程、
（Ａ０３）所定間隔離れて配置された前記複数の固定枠体および隣接する固定枠体の間の凹溝の上方空間を、前記継ぎフレームの上側から固定枠体用のネットで被覆して、固定枠体用のネットの外側部に沿った網目を互い違いに縫うように貫通させたネット固定部材を前記ベースに連結する固定枠体用のネット被覆作業工程。
【請求項２】
下記の作業工程（Ａ０２ａ）を備えたことを特徴とする請求項１記載の水路用安全カバーの設置作業方法、
（Ａ０２ａ）前記凹溝に沿って延び且つ前記凹溝を横切るフレームに連結される継ぎフレームであって、一端側に小径部が形成され他端側に前記小径部が嵌合可能な形状の嵌合穴が形成された前記継ぎフレームを使用する前記継ぎフレーム連結作業工程。
【請求項３】
下記の継ぎフレーム連結作業工程（Ａ０２ｂ）を備えたことを特徴とする請求項１または２記載の水路用安全カバーの設置作業方法、
（Ａ０２ｂ）前記継ぎフレームの一端部が嵌合する溝および前記凹溝を横切るフレームの外側面に密着して当接する接合面を有する継ぎフレーム嵌合部材と、前記継ぎフレーム嵌合部材に連結されて両端部が半円状に曲げられた針金状弾性部材とを有するワイヤティワンにより、前記継ぎフレームの両端部を、前記凹溝を横切るフレームに連結する作業を含む前記継ぎフレーム連結作業工程。
【請求項４】
下記の継ぎフレーム連結作業工程（Ａ０２ｃ）を備えたことを特徴とする請求項１ないし３のいずれか記載の水路用安全カバーの設置作業方法、
（Ａ０２ｃ）前記継ぎフレームに引っ掛ける半円形中央部と半円状に曲げられた両端部とを有するトップセッタを使用して、前記凹溝を横切るフレームと前記継ぎフレームの中間部とを連結する作業を含む前記継ぎフレーム連結作業工程。
【請求項５】
下記の固定枠体用のネット被覆作業工程（Ａ０３ａ）を備えたことを特徴とする請求項１ないし４のいずれか記載の水路用安全カバーの設置作業方法、
（Ａ０３ａ）前記凹溝に沿って配置された複数の各固定枠体のうちの外端に配置された固定枠体の外端面を被覆するように配置された外端面被覆ネットの下端部を、前記凹溝を横切って配置されるとともに両端部が前記凹溝を形成する両側壁に固定された外端面被覆ネット下端支持部材により支持させる作業を含む前記固定枠体用のネット被覆作業工程。
【請求項６】
下記の構成要件（Ｂ０１）〜（Ｂ０６）を備えたことを特徴とする水路用安全カバー、
（Ｂ０１）凹溝を形成する一対の側壁の上端部にそれぞれ固定され且つ前記各側壁に沿って延びる金属製のベースと、前記ベースの両端部においてそれぞれ外端部が支持され且つ中央部が上方に湾曲する金属パイプにより構成された前記凹溝を横切るフレームとを有する固定枠体、
（Ｂ０２）前記凹溝を形成する一対の側壁の上端部に前記凹溝に沿って所定間隔離れて配置された複数の前記固定枠体、
（Ｂ０３）１つの継ぎフレームの一端部に他の継ぎフレームの他端部を順次嵌合させて連結可能とするため一端側の外径が他端側の内径に嵌合可能に構成された継ぎフレーム、
（Ｂ０４）前記凹溝に沿って延び且つ順次連結された複数の前記継ぎフレームであって、前記所定間隔離れて配置された複数の各固定枠体のフレームに順次連結される前記複数の継ぎフレーム、
（Ｂ０５）所定間隔離れて配置された前記複数の固定枠体および隣接する固定枠体の間の凹溝の上方空間を、前記継ぎフレームの上側から被覆し且つ外側部が前記ベースに固定された固定枠体用のネット。
（Ｂ０６）前記ネットの外側部に沿った網目を互い違いに縫うように貫通し且つ前記ベースに連結されたネット固定部材。
【請求項７】
下記の構成要件（Ｂ０１）〜（Ｂ０５），（Ｂ０７）を備えたことを特徴とする水路用安全カバー、
（Ｂ０１）凹溝を形成する一対の側壁の上端部にそれぞれ固定され且つ前記各側壁に沿って延びる金属製のベースと、前記ベースの両端部においてそれぞれ外端部が支持され且つ中央部が上方に湾曲する金属パイプにより構成された前記凹溝を横切るフレームとを有する固定枠体、
（Ｂ０２）前記凹溝を形成する一対の側壁の上端部に前記凹溝に沿って所定間隔離れて配置された複数の前記固定枠体、
（Ｂ０３）１つの継ぎフレームの一端部に他の継ぎフレームの他端部を順次嵌合させて連結可能とするため一端側の外径が他端側の内径に嵌合可能に構成された継ぎフレーム、
（Ｂ０４）前記凹溝に沿って延び且つ順次連結された複数の前記継ぎフレームであって、前記所定間隔離れて配置された複数の各固定枠体のフレームに順次連結される前記複数の継ぎフレーム、
（Ｂ０５）所定間隔離れて配置された前記複数の固定枠体および隣接する固定枠体の間の凹溝の上方空間を、前記継ぎフレームの上側から被覆し且つ外側部が前記ベースに固定された固定枠体用のネット。
（Ｂ０７）前記凹溝に沿って延び且つ両端部が前記凹溝を横切るフレームに連結される継ぎフレームであって、一端側に小径部が形成され他端側に前記小径部が嵌合可能な形状の嵌合穴が形成された前記継ぎフレーム。
【請求項８】
下記の構成要件（Ｂ０１）〜（Ｂ０５），（Ｂ０８），（Ｂ０９）を備えたことを特徴とする水路用安全カバー、
（Ｂ０１）凹溝を形成する一対の側壁の上端部にそれぞれ固定され且つ前記各側壁に沿って延びる金属製のベースと、前記ベースの両端部においてそれぞれ外端部が支持され且つ中央部が上方に湾曲する金属パイプにより構成された前記凹溝を横切るフレームとを有する固定枠体、
（Ｂ０２）前記凹溝を形成する一対の側壁の上端部に前記凹溝に沿って所定間隔離れて配置された複数の前記固定枠体、
（Ｂ０３）１つの継ぎフレームの一端部に他の継ぎフレームの他端部を順次嵌合させて連結可能とするため一端側の外径が他端側の内径に嵌合可能に構成された継ぎフレーム、
（Ｂ０４）前記凹溝に沿って延び且つ順次連結された複数の前記継ぎフレームであって、前記所定間隔離れて配置された複数の各固定枠体のフレームに順次連結される前記複数の継ぎフレーム、
（Ｂ０５）所定間隔離れて配置された前記複数の固定枠体および隣接する固定枠体の間の凹溝の上方空間を、前記継ぎフレームの上側から被覆し且つ外側部が前記ベースに固定された固定枠体用のネット。
（Ｂ０８）前記凹溝に沿って延び且つ両端部が前記凹溝を横切るフレームに連結される継ぎフレーム、
（Ｂ０９）前記継ぎフレームの一端部が嵌合する溝および前記凹溝を横切るフレームの外側面に密着して当接する接合面を有する継ぎフレーム嵌合部材と、前記継ぎフレーム嵌合部材に連結されて両端部が半円状に曲げられた針金状弾性部材とを有し、前記継ぎフレームの一端部と前記凹溝を横切るフレームとを連結するワイヤティワン。
【請求項９】
下記の構成要件（Ｂ０１）〜（Ｂ０５），（Ｂ０８），（Ｂ０１０）を備えたことを特徴とする水路用安全カバー、
（Ｂ０１）凹溝を形成する一対の側壁の上端部にそれぞれ固定され且つ前記各側壁に沿って延びる金属製のベースと、前記ベースの両端部においてそれぞれ外端部が支持され且つ中央部が上方に湾曲する金属パイプにより構成された前記凹溝を横切るフレームとを有する固定枠体、
（Ｂ０２）前記凹溝を形成する一対の側壁の上端部に前記凹溝に沿って所定間隔離れて配置された複数の前記固定枠体、
（Ｂ０３）１つの継ぎフレームの一端部に他の継ぎフレームの他端部を順次嵌合させて連結可能とするため、一端側の外径が他端側の内径に嵌合可能に構成された継ぎフレーム、
（Ｂ０４）前記凹溝に沿って延び且つ順次連結された複数の前記継ぎフレームであって、前記所定間隔離れて配置された複数の各固定枠体のフレームに順次連結される前記複数の継ぎフレーム、
（Ｂ０５）所定間隔離れて配置された前記複数の固定枠体および隣接する固定枠体の間の凹溝の上方空間を、前記継ぎフレームの上側から被覆し且つ外側部が前記ベースに固定された固定枠体用のネット。
（Ｂ０８）前記凹溝に沿って延び且つ両端部が前記凹溝を横切るフレームに連結される継ぎフレーム、
（Ｂ０１０）前記継ぎフレームに引っ掛ける半円形中央部と半円状に曲げられた両端部とを有し、前記凹溝を横切るフレームと継ぎフレームの中間部とを連結するトップセッタ。
【請求項１０】
下記の構成要件（Ｂ０１１）を備えたことを特徴とする請求項６ないし９のいずれか記載の水路用安全カバー、
（Ｂ０１１）前記ネットの外側部に沿った網目を互い違いに縫うように貫通し且つ前記枠体のベースに連結されたネット固定部材。
【請求項１１】
下記の構成要件（Ｂ０１２），（Ｂ０１３）を備えたことを特徴とする請求項６ないし１０のいずれか記載の水路用安全カバー、
（Ｂ０１２）前記凹溝に沿って配置された複数の各枠体のうちの外端に配置された枠体の外端面を被覆するように配置された外端面被覆ネット、
（Ｂ０１３）前記凹溝を横切って配置されるとともに両端部が前記凹溝を形成する両側壁に固定され、且つ前記外端面被覆ネットの下端を支持する外端面被覆ネット下端支持部材。
【発明の詳細な説明】
【０００１】
【発明の属する技術分野】
本発明は、農業用水路等の凹溝をネット（金網）で被覆して前記凹溝にごみが入ったり、人が転落するのを防止する水路用安全カバーおよびその設置作業方法に関する。
【０００２】
【従来の技術】
従来、前記水路用安全カバーとして次の技術（Ｊ０１）が知られている。
（Ｊ０１）実公平４−３４１９７号公報、実公平４−３４１９８号公報等に記載の技術
これらの公報には、水路（凹溝）を横切る方向に配置された主フレーム１（前記公告公報参照）と補助フレーム２とを備えた枠体３が記載されている。前記水路（凹溝）を跨がる状態で前記枠体３を複数並べて配置し、前記複数の枠体３を前記水路（凹溝）に沿って延びる継ぎフレーム６（前記複数の主フレームの中央部を連結するパイプ、複数の主フレームの外側部の上部どうしを連結するパイプ、および下部どうしを連結するパイプ）により連結し、前記枠体３外側をカバーネット７で被覆した農業用水路等のカバーが記載されている。なお、前記凹溝に沿って配置される継ぎフレーム６と前記凹溝を横切る主フレーム１とはほぼ直角に交差して配置されており、前記交差する部分において連結されている。
前記カバーは、丈夫で使用勝手が良く、農業用水路等を被覆して、農業用水路に人が転落したり、ごみが入るのを防止する機能を有している。
【０００３】
【発明が解決しようとする課題】
（従来技術（Ｊ０１）の問題点）
前記（Ｊ０１）の技術では、前記カバーネット７は外側縁を枠体３に固定する際、前記主フレーム１下部の外側に連結した継ぎフレーム６によりカバーネット７を固定している。
図２５は従来のネット固定方法の説明図である。図２５に示すように、ネット下端は半ナックル処理（ネット形成用線材を絡ませて折り曲げる処理）をしており、その上方位置において、結束線により継ぎフレームに連結している。
前記継ぎフレームは主フレーム下端からある程度上方位置にあるため、カバーネットの固定部（継ぎフレーム）より下方に垂れ下がった部分である袖部により水路（凹溝）へごみが入るのを防止しなければならない。しかし、前記カバーネットの袖部の下端は固定されていないので、隙間が生じ易く、その隙間からごみ等が水路（凹溝）に入り易い。また、前記袖部がバラけ易いという問題点もある。
また、前記従来技術（Ｊ０１）では、枠体３へのネット７の固定作業や、前記凹溝を横切る主フレームと継ぎフレームとの連結作業等の作業性が悪く、それらの作業に時間が掛かるという問題点があった。
【０００４】
また、前記カバーネットに被覆された水路（凹溝）の保守、掃除等の際には前記カバーネットを開けて前記水路内に作業員が入る必要がある。しかしながら、従来はカバーネットが設けられてない場所から、作業員が水路内に入るのが普通であり、この種の構成を備えたカバーネットにおいては、容易に開閉できるような開閉カバーを設けたものは無かった。
【０００５】
図２６は水路用安全カバー上の積雪の荷重が水路用安全カバーの外端のフレームに作用する力の説明図で、図２６Ａは積雪を省略した状態の水路用安全カバー全体の斜視図、図２６Ｂは、前記図２６Ａの矢印ＸＸＶＩＢから見た水路用安全カバーの積雪がある状態を示す図である。図２６Ｂにおいて積雪荷重は水路用安全カバーの上面を下方に押圧するので、外端のフレームが内側に傾斜する力を受ける。
このため前記従来技術において、降雪量が多く前記カバーネット上の積雪が多くなった場合、前記カバーネットの前記水路方向の外端部の、主フレームがカバーネットに作用する積雪荷重により内側に傾くという問題点が発生した。前記問題点は例えば、主フレームを直径Ｄ＝１９．１〜３１．８ｍｍ、肉厚ｔ＝１．２〜２．３ｍｍのパイプで構成し、主フレームを５０ｃｍ間隔で配置すること、および、前記カバーネットの外端を前記主フレームの外端面を被覆するように配置し且つその下端を固定することにより解決できることを実験により発見した。
【０００６】
本発明は、前述の事情に鑑み、下記の記載内容（Ｏ０１）〜（Ｏ０３）のいずれかを課題とする。
（Ｏ０１）凹溝（水路等）に人が落ちたりごみが入るのを防止するために前記凹溝を被覆する水路用安全カバーを設置する作業の作業効率を向上させること。
（Ｏ０２）前記水路用安全カバーのネットの下端部を確実に固定するとともに水路用安全カバーの下部からごみ等が前記凹溝に入らないようにすること。
（Ｏ０３）前記水路用安全カバーの凹溝に沿った外端に配置されたフレームが、水路用安全カバー上の積雪荷重により内側に傾斜するのを防止すること。
【０００７】
【課題を解決するための手段】
次に、前記課題を解決するために案出した本発明の構成を説明するが、本発明の構成要素には、後述の実施例の構成要素との対応を容易にするため、実施例の構成要素の符号をカッコで囲んだものを付記している。なお、本発明を後述の実施例の符号と対応させて説明する理由は、本発明の理解を容易にするためであり、本発明の範囲を実施例に限定するためではない。
【０００８】
（第１発明）
前記課題を解決するために、本出願の第１発明の水路用安全カバーの設置作業方法は、次の作業工程（Ａ０１）〜（Ａ０３）を備えたことを特徴とする、
（Ａ０１）凹溝（１）を形成する一対の側壁（２，３）の上端部にそれぞれ固定され且つ前記各側壁（２，３）に沿って延びる一対の金属製のベース（４）と、前記一対の金属ベース（４）の両端部においてそれぞれ外端部が支持され且つ中央部が上方に湾曲する金属パイプにより構成された前記凹溝（１）を横切るフレーム（８，９）とを有する複数の固定枠体（Ｆ１）を、前記凹溝（１）に沿って所定間隔離れて配置した状態で固定する固定枠体設置作業工程、
（Ａ０２）１つの継ぎフレーム（１７，１８）の一端部に他の継ぎフレーム（１７，１８）の他端部を順次嵌合させて連結可能とするため一端側の外径が他端側の内径に嵌合可能に構成された複数の継ぎフレーム（１７，１８）を、前記凹溝（１）に沿って順次連結するとともに、前記所定間隔離れて配置された複数の各固定枠体（Ｆ１）のフレーム（８）に順次連結する固定枠体（Ｆ１）および継ぎフレーム連結作業工程、
（Ａ０３）所定間隔離れて配置された前記複数の固定枠体（Ｆ１）および隣接する固定枠体（Ｆ１）の間の凹溝（１）の上方空間を、前記継ぎフレーム（１７，１８）の上側から固定枠体用のネット（２６）で被覆して、固定枠体用のネット（２６）の外側部に沿った網目を互い違いに縫うように貫通させたネット固定部材（２７）を前記ベース（４）に連結する固定枠体用のネット被覆作業工程。
【０００９】
（第１発明の作用）
前記作業工程（Ａ０１）〜（Ａ０３）を備えた本出願の第１発明の水路用安全カバーの設置作業方法では、固定枠体設置作業工程において、凹溝（１）を形成する一対の側壁（２，３）の上端部にそれぞれ固定され且つ前記各側壁（２，３）に沿って延びる一対の金属製のベース（４）と、前記一対の金属ベース（４）の両端部においてそれぞれ外端部が支持され且つ中央部が上方に湾曲する金属パイプにより構成された前記凹溝（１）を横切るフレーム（８，９）とを有する複数の固定枠体（Ｆ１）を、前記凹溝（１）に沿って所定間隔離れて配置した状態で固定する。
前記複数の各固定枠体（Ｆ１）は、凹溝（１）を形成する一対の側壁（２，３）の上端部にそれぞれ固定され且つ前記各側壁（２，３）に沿って延びる一対の金属製のベース（４）と、前記一対の金属ベース（４）の両端部においてそれぞれ外端部が支持され且つ中央部が上方に湾曲する金属パイプにより構成された前記凹溝（１）を横切るフレーム（８，９）とにより構成されるので、前記金属ベース（４）の両端の間の中間部では、前記凹溝（１）を横切るフレーム（８，９）が連結されることがない。このため、固定枠体（Ｆ１）の構成が簡素となる。また、前記複数の固定枠体（Ｆ１）が凹溝（１）に沿って所定間隔離れて配置されるので、隣接する固定枠体（Ｆ１）の間には固定枠体（Ｆ１）を配置しないので、固定枠体（Ｆ１）の使用個数を節約することができる。また、固定枠体設置作業の作業量も少なくなる。
【００１０】
固定枠体（Ｆ１）および継ぎフレーム連結作業工程では、１つの継ぎフレーム（１７，１８）の一端部に他の継ぎフレーム（１７，１８）の他端部を順次嵌合させて連結可能とするため一端側の外径が他端側の内径に嵌合可能に構成された複数の継ぎフレーム（１７，１８）を、前記凹溝（１）に沿って順次連結するとともに、前記所定間隔離れて配置された複数の各固定枠体（Ｆ１）の前記凹溝（１）を横切るフレーム（８）に順次連結する。
前記複数の各固定枠体（Ｆ１）の前記凹溝（１）を横切るフレーム（８）を前記継ぎフレーム（１７，１８）により順次連結することにより、各固定枠体（Ｆ１）とそれらを連結した継ぎフレーム（１７，１８）とにより構成されるフレーム全体としての剛性を高めることができる。また、１つの継ぎフレーム（１７，１８）の一端部に他の継ぎフレーム（１７，１８）の他端部を順次嵌合させて連結可能とするため一端側の外径が他端側の内径に嵌合可能に構成された複数の継ぎフレーム（１７，１８）を、前記凹溝（１）に沿って順次連結するので、同一形状の継ぎフレーム（１７，１８）を使用して前記複数の固定枠体（Ｆ１）を連結することができる。このため、構成部品の種類を少なくすることができる。
【００１１】
固定枠体用のネット被覆作業工程では、所定間隔離れて配置された前記複数の固定枠体（Ｆ１）および隣接する固定枠体（Ｆ１）の間の凹溝（１）の上方空間を、前記継ぎフレーム（１７，１８）の上側から固定枠体用のネット（２６）で被覆して、固定枠体用のネット（２６）の外側部に沿った網目を互い違いに縫うように貫通させたネット固定部材（２７）を前記ベース（４）に連結する。
前記固定枠体用のネット（２６）の外側部に沿った網目を互い違いに縫うように貫通させたネット固定部材（２７）を、前記凹溝（１）の各側壁（２，３）に固定された前記ベース（４）に連結するので、固定枠体用のネット（２６）の外側部（ネット下端部）と前記凹溝（１）の側壁（２，３）との間に隙間が無くなるので、ネット内部に小動物や不要な物体等が入りに難くなる。
【００１２】
前記第１発明の水路用安全カバーの設置作業方法において、下記の継ぎフレーム連結作業工程（Ａ０２ａ）を備えることが可能である。
（Ａ０２ａ）前記凹溝（１）に沿って延び且つ前記凹溝（１）を横切るフレーム（８）に連結される継ぎフレーム（１７，１８）であって、一端側に小径部が形成され他端側に前記小径部が嵌合可能な形状の嵌合穴が形成された前記継ぎフレーム（１７，１８）を使用する前記継ぎフレーム連結作業工程。
前記継ぎフレーム連結作業工程（Ａ０２ａ）では、凹溝（１）に沿って延び且つ前記凹溝（１）を横切るフレーム（８）に連結される継ぎフレーム（１７，１８）として、一端側に小径部が形成され他端側に前記小径部が嵌合可能な形状の嵌合穴が形成された前記継ぎフレーム（１７，１８）を使用する。前記継ぎフレーム（１７，１８）は構成が簡単で容易に製作することができる。
【００１３】
前記第１発明の水路用安全カバーの設置作業方法において、下記の継ぎフレーム連結作業工程（Ａ０２ｂ）を備えることが可能である。
（Ａ０２ｂ）前記継ぎフレーム（１７，１８）の一端部が嵌合する溝および前記凹溝（１）を横切るフレーム（８）の外側面に密着して当接する接合面を有する継ぎフレーム嵌合部材（１９ａ）と、前記継ぎフレーム嵌合部材（１９ａ）に連結されて両端部が半円状に曲げられた針金状弾性部材（１９ｂ）とを有するワイヤティワン（１９）により、前記継ぎフレーム（１７，１８）の両端部を、前記凹溝（１）を横切るフレーム（８）に連結する作業を含む前記継ぎフレーム連結作業工程。
前記継ぎフレーム連結作業工程（Ａ０２ｂ）では、前記継ぎフレーム（１７，１８）の一端部が嵌合する溝および前記凹溝（１）を横切るフレーム（８）の外側面に密着して当接する接合面を有する継ぎフレーム嵌合部材（１９ａ）と、前記継ぎフレーム嵌合部材（１９ａ）に連結されて両端部が半円状に曲げられた針金状弾性部材（１９ｂ）とを有するワイヤティワン（１９）により、前記継ぎフレーム（１７，１８）の両端部を、前記凹溝（１）を横切るフレーム（８）に連結する。
前記凹溝（１）を横切るフレーム（８）と継ぎフレーム（１７，１８）の端部とを前記ワイヤティワン（１９）により容易に連結することができるので、継ぎフレーム連結作業を容易に行うことができる。このため、水路用安全カバーの設置作業を楽に行うことができる。
【００１４】
前記第１発明の水路用安全カバーの設置作業方法において、下記の継ぎフレーム連結作業工程（Ａ０２ｃ）を備えることが可能である。
（Ａ０２ｃ）前記継ぎフレーム（１７，１８）に引っ掛ける半円形中央部（２０ａ）と半円状に曲げられた両端部（２０ｂ，２０ｂ）とを有するトップセッタ（２０）を使用して、前記凹溝（１）を横切るフレーム（８）と継ぎフレーム（１７，１８）の中間部とを連結する作業を含む前記継ぎフレーム連結作業工程。
前記継ぎフレーム連結作業工程（Ａ０２ｃ）では、前記凹溝（１）を横切るフレーム（８）と継ぎフレーム（１７，１８）の中間部とを前記トップセッタ（２０）により容易に連結することができるので、継ぎフレーム連結作業を容易に行うことができる。このため、水路用安全カバーの設置作業を楽に行うことができる。
【００１５】
前記第１発明の水路用安全カバーの設置作業方法において、下記の作業工程（Ａ０３ａ）を備えることが可能である。
（Ａ０３ａ）前記凹溝（１）に沿って配置された複数の各固定枠体（Ｆ１）のうちの外端に配置された固定枠体（Ｆ１）の外端面を被覆するように配置された外端面被覆ネット（３１）の下端部を、前記凹溝（１）を横切って配置されるとともに両端部が前記凹溝（１）を形成する両側壁（２，３）に固定された外端面被覆ネット下端支持部材（１０）により支持させる作業を含む前記固定枠体用のネット被覆作業工程。
前記作業工程（Ａ０３ａ）を備えた固定枠体用のネット被覆作業工程では、前記凹溝（１）に沿って配置された複数の各固定枠体（Ｆ１）のうちの外端に配置された固定枠体（Ｆ１）の外端面を被覆するように配置された外端面被覆ネット（３１）の下端部を、前記凹溝（１）を横切って配置されるとともに両端部が前記凹溝（１）を形成する両側壁（２，３）に固定された外端面被覆ネット下端支持部材（１０）により支持させる。
【００１６】
前記外端面被覆ネット（３１）は、前記凹溝（１）に沿って配置された複数の各枠体（Ｆ）のうちの外端に配置された枠体（Ｆ１）の外端面を被覆する。前記凹溝（１）を横切って配置されるとともに両端部が前記凹溝（１）を形成する両側壁（２，３）に固定された外端面被覆ネット下端支持部材（１０）は前記外端面被覆ネット（３１）の下端を支持する。このため、外端からの人間や動物の侵入を防ぐことができる。
水路用安全カバーの上の積雪が多い場合、前記外端に配置された枠体（Ｆ１）は積雪の重量により内方に引っ張られて傾斜する力を受ける。しかしながら、前記外端面被覆ネット下端支持部材（１０）により下端を支持された外端面被覆ネット（３１）が前記枠体（Ｆ１）を外側下方に引っ張っるので水路用婉然カバーの前記傾斜が生じ難くなる。
【００１７】
（第２発明）
前記課題を解決するために、本出願の第２発明の水路用安全カバーは、次の構成要件（Ｂ０１）〜（Ｂ０６）を備えたことを特徴とする、
（Ｂ０１）凹溝（１）を形成する一対の側壁（２，３）の上端部にそれぞれ固定され且つ前記各側壁（２，３）に沿って延びる金属製のベース（４）と、前記ベース（４）の両端部においてそれぞれ外端部が支持され且つ中央部が上方に湾曲する金属パイプにより構成された前記凹溝を横切るフレーム（８，９）とを有する固定枠体（Ｆ１）、
（Ｂ０２）前記凹溝（１）を形成する一対の側壁（２，３）の上端部に前記凹溝（１）に沿って所定間隔離れて配置された複数の前記固定枠体（Ｆ１）、
（Ｂ０３）１つの継ぎフレーム（１７，１８）の一端部に他の継ぎフレーム（１７，１８）の他端部を順次嵌合させて連結可能とするため、一端側の外径が他端側の内径に嵌合可能に構成された継ぎフレーム（１７，１８）、
（Ｂ０４）前記凹溝（１）に沿って延び且つ順次連結された複数の前記継ぎフレーム（１７，１８）であって、前記所定間隔離れて配置された複数の各固定枠体（Ｆ１）のフレーム（８）に順次連結される前記複数の継ぎフレーム（１７，１８）、
（Ｂ０５）所定間隔離れて配置された前記複数の固定枠体（Ｆ１）および隣接する固定枠体（Ｆ１）の間の凹溝（１）の上方空間を、前記継ぎフレーム（１７，１８）の上側から被覆し且つ外側部が前記ベース（４）に固定された固定枠体用のネット（２６）、
（Ｂ０６）前記ネット（２６）の外側部に沿った網目を互い違いに縫うように貫通し且つ前記ベース（４）に連結されたネット固定部材（２７）。
【００１８】
（第２発明の作用）
前記構成要件（Ｂ０１）〜（Ｂ０６）を備えた第２発明の水路用安全カバーでは、凹溝（１）を形成する一対の側壁（２，３）の上端部にそれぞれ固定され且つ前記各側壁（２，３）に沿って延びる金属製のベース（４）を有する固定枠体（Ｆ１）は、前記ベース（４）の両端部においてそれぞれ外端部が支持され且つ中央部が上方に湾曲する金属パイプにより構成された前記凹溝（１）を横切るフレーム（８，９）とを有する。前記固定枠体（Ｆ１）は、前記凹溝（１）を形成する一対の側壁（２，３）の上端部に前記凹溝（１）に沿って所定間隔離れて複数配置される。
【００１９】
前記所定間隔離れて配置された複数の各固定枠体（Ｆ１）のフレーム（８）に順次連結される継ぎフレーム（１７，１８）は、一端側の外径が他端側の内径に嵌合可能に構成されているので、１つの継ぎフレーム（１７，１８）の一端部に他の継ぎフレーム（１７，１８）の他端部を順次嵌合させて連結可能である。したがって、前記凹溝（１）に沿って配置された複数の各固定枠体（Ｆ１）は、前記凹溝（１）に沿って延び且つ順次連結された複数の前記継ぎフレーム（１７，１８）により順次連結される。前記複数連結された前記継ぎフレーム（１７，１８）により、前記凹溝（１）に沿って配置された複数の各固定枠体（Ｆ１）の全てを順次連結することができるので、水路用安全カバー全体としての剛性を高くすることができる。
前記所定間隔離れて配置された前記複数の固定枠体（Ｆ１）および隣接する固定枠体（Ｆ１）の間の凹溝（１）の上方空間は、前記継ぎフレーム（１７，１８）の上側から固定枠体用のネット（２６）により被覆される。
【００２０】
前記ネット（２６）は、その外側部に沿った網目を互い違いに縫うように貫通し且つ前記ベース（４）に連結されたネット固定部材（２７）により前記ベース（４）に固定される。
したがって、前記ベース（４）に連結するネット固定部材（２７）により、前記ネット（２６）の外側部は、前記凹溝（１）の側壁（２，３）上端に固定されたベース（４）に簡単に取り付けることができる。この場合、ネットの下側縁と凹溝（１）の側壁（２，３）との間の間隔が小さくなるので、前記ネット（２６）の下側縁の下方から前記凹溝（１）内にごみが入るのを防止できる。また、ネット（２６）の取付作業も楽に行うことができる。
【００２１】
（第３発明）
本出願の第３発明の水路用安全カバーは、次の構成要件（Ｂ０１）〜（Ｂ０５）、（Ｂ０７）を備えたことを特徴とする、
（Ｂ０１）凹溝（１）を形成する一対の側壁（２，３）の上端部にそれぞれ固定され且つ前記各側壁（２，３）に沿って延びる金属製のベース（４）と、前記ベース（４）の両端部においてそれぞれ外端部が支持され且つ中央部が上方に湾曲する金属パイプにより構成された前記凹溝を横切るフレーム（８，９）とを有する固定枠体（Ｆ）、
（Ｂ０２）前記凹溝（１）を形成する一対の側壁（２，３）の上端部に前記凹溝（１）に沿って所定間隔離れて配置された複数の前記固定枠体（Ｆ１）、
（Ｂ０３）１つの継ぎフレーム（１７，１８）の一端部に他の継ぎフレーム（１７，１８）の他端部を順次嵌合させて連結可能とするため一端側の外径が他端側の内径に嵌合可能に構成された継ぎフレーム（１７，１８）、
（Ｂ０４）前記凹溝（１）に沿って延び且つ順次連結された複数の前記継ぎフレーム（１７，１８）であって、前記所定間隔離れて配置された複数の各固定枠体（Ｆ１）のフレーム（８）に順次連結される前記複数の継ぎフレーム（１７，１８）、
（Ｂ０５）所定間隔離れて配置された前記複数の固定枠体（Ｆ１）および隣接する固定枠体（Ｆ１）の間の凹溝（１）の上方空間を、前記継ぎフレーム（１７，１８）の上側から被覆し且つ外側部が前記ベース（４）に固定された固定枠体用のネット（２６）、
（Ｂ０７）前記凹溝（１）に沿って延び且つ両端部が前記凹溝を横切るフレーム（８）に連結される継ぎフレーム（１７，１８）であって、一端側に小径部が形成され他端側に前記小径部が嵌合可能な形状の嵌合穴が形成された前記継ぎフレーム（１７，１８）。
【００２２】
（第３発明の作用）
前記構成を備えた本出願の第３発明の水路用安全カバーでは、前記凹溝（１）に沿って延び且つ両端部が前記凹溝を横切るフレーム（８）に連結される継ぎフレーム（１７，１８）は、一端側に小径部が形成され他端側に前記小径部が嵌合可能な形状の嵌合穴が形成されている。このような構成の継ぎフレーム（１７，１８）は、複数の各継ぎフレーム（１７，１８）の前記一端部と他端部とを容易に連結することができる。このため、複数の枠体（Ｆ，Ｆ１）を前記継ぎフレーム（１７，１８）により連結することにより、複数の固定枠対全体の強度を向上させることができる。
【００２３】
（第４発明）
本出願の第４発明の水路用安全カバーは、次の構成要件（Ｂ０１）〜（Ｂ０５），（Ｂ０８），（Ｂ０９）を備えたことを特徴とする、
（Ｂ０１）凹溝（１）を形成する一対の側壁（２，３）の上端部にそれぞれ固定され且つ前記各側壁（２，３）に沿って延びる金属製のベース（４）と、前記ベース（４）の両端部においてそれぞれ外端部が支持され且つ中央部が上方に湾曲する金属パイプにより構成された前記凹溝を横切るフレーム（８，９）とを有する固定枠体（Ｆ）、
（Ｂ０２）前記凹溝（１）を形成する一対の側壁（２，３）の上端部に前記凹溝（１）に沿って所定間隔離れて配置された複数の前記固定枠体（Ｆ１）、
（Ｂ０３）１つの継ぎフレーム（１７，１８）の一端部に他の継ぎフレーム（１７，１８）の他端部を順次嵌合させて連結可能とするため一端側の外径が他端側の内径に嵌合可能に構成された継ぎフレーム（１７，１８）、
（Ｂ０４）前記凹溝（１）に沿って延び且つ順次連結された複数の前記継ぎフレーム（１７，１８）であって、前記所定間隔離れて配置された複数の各固定枠体（Ｆ１）のフレーム（８）に順次連結される前記複数の継ぎフレーム（１７，１８）、
（Ｂ０５）所定間隔離れて配置された前記複数の固定枠体（Ｆ１）および隣接する固定枠体（Ｆ１）の間の凹溝（１）の上方空間を、前記継ぎフレーム（１７，１８）の上側から被覆し且つ外側部が前記ベース（４）に固定された固定枠体用のネット（２６）、
（Ｂ０８）前記凹溝（１）に沿って延び且つ両端部が前記凹溝を横切るフレーム（８）に連結される継ぎフレーム（１７，１８）、
（Ｂ０９）前記継ぎフレーム（１７，１８）の一端部が嵌合する溝および前記凹溝を横切るフレーム（８）の外側面に密着して当接する接合面を有する継ぎフレーム嵌合部材（１９ａ）と、前記継ぎフレーム嵌合部材（１９ａ）に連結されて両端部が半円状に曲げられた針金状弾性部材（１９ｂ）とを有し、前記継ぎフレーム（１７，１８）の一端部と前記凹溝を横切るフレーム（８）とを連結するワイヤティワン（１９）。
【００２４】
（第４発明の作用）
前記構成を備えた本出願の第４発明の水路用安全カバーでは、前記凹溝（１）に沿って延びる継ぎフレーム（１７，１８）の両端部は、前記凹溝を横切るフレーム（８）に連結される。
ワイヤティワン（１９）の継ぎフレーム嵌合部材（１９ａ）の前記接合面には、前記凹溝を横切るフレーム（８）の外側面に密着して当接し、継ぎフレーム嵌合部材（１９ａ）の前記溝には前記継ぎフレームの一端部が嵌合する。前記継ぎフレーム嵌合部材（１９ａ）に連結されて両端部が半円状に曲げられた針金状弾性部材（１９ｂ）により、前記凹溝を横切るフレーム（８）を巻き込んでから前記半円状の両端部を前記継ぎフレーム（１７，１８）の一端部に引っ掛けることにより、前記継ぎフレーム（１７，１８）の一端部と前記凹溝を横切るフレーム（８）とを容易に連結することができる。
【００２５】
（第５発明）
本出願の第５発明の水路用安全カバーは、次の構成要件（Ｂ０１）〜（Ｂ０５），（Ｂ０８），（Ｂ０１０）を備えたことを特徴とする、
（Ｂ０１）凹溝（１）を形成する一対の側壁（２，３）の上端部にそれぞれ固定され且つ前記各側壁（２，３）に沿って延びる金属製のベース（４）と、前記ベース（４）の両端部においてそれぞれ外端部が支持され且つ中央部が上方に湾曲する金属パイプにより構成された前記凹溝を横切るフレーム（８，９）とを有する固定枠体（Ｆ）、
（Ｂ０２）前記凹溝（１）を形成する一対の側壁（２，３）の上端部に前記凹溝（１）に沿って所定間隔離れて配置された複数の前記固定枠体（Ｆ１）、
（Ｂ０３）１つの継ぎフレーム（１７，１８）の一端部に他の継ぎフレーム（１７，１８）の他端部を順次嵌合させて連結可能とするため一端側の外径が他端側の内径に嵌合可能に構成された継ぎフレーム（１７，１８）、
（Ｂ０４）前記凹溝（１）に沿って延び且つ順次連結された複数の前記継ぎフレーム（１７，１８）であって、前記所定間隔離れて配置された複数の各固定枠体（Ｆ１）のフレーム（８）に順次連結される前記複数の継ぎフレーム（１７，１８）、
（Ｂ０５）所定間隔離れて配置された前記複数の固定枠体（Ｆ１）および隣接する固定枠体（Ｆ１）の間の凹溝（１）の上方空間を、前記継ぎフレーム（１７，１８）の上側から被覆し且つ外側部が前記ベース（４）に固定された固定枠体用のネット（２６）、
（Ｂ０８）前記凹溝（１）に沿って延び且つ両端部が前記凹溝を横切るフレーム（８）に連結される継ぎフレーム（１７，１８）、
（Ｂ０１０）前記継ぎフレーム（１７，１８）に引っ掛ける半円形中央部（２０ａ）と半円状に曲げられた両端部（２０ｂ，２０ｂ）とを有し、前記凹溝を横切るフレーム（８）と継ぎフレーム（１７または１９）の中間部とを連結するトップセッタ（２０）。
【００２６】
（第５発明の作用）
前記構成を備えた本出願の第５発明の水路用安全カバーでは、前記凹溝（１）に沿って延びる継ぎフレーム（１７，１８）の両端部は、前記凹溝（１）を横切るフレーム（８）に連結される。トップセッタ（２０）は、前記継ぎフレーム（１７，１８）に引っ掛ける半円形中央部（２０ａ）と半円状に曲げられた両端部（２０ｂ，２０ｂ）とを有するので、凹溝（１）を横切るフレーム（８）と継ぎフレーム（１７または１９）の中間部とを容易に連結することができる。複数の枠体（Ｆ）を連結してそれらの剛性を高めることができる。
【００２７】
前記第３発明ないし第５発明の水路用安全カバーのいずれかにおいて、下記の構成要件（Ｂ０１１）を備えることが可能である。
（Ｂ０１１）前記ネット（２６）の外側部に沿った網目を互い違いに縫うように貫通し且つ前記枠体のベース（４）に連結されたネット固定部材（２７）。
前記構成要件（Ｂ０１１）を備えた本発明では、ネット固定部材（２７）は、前記ネット（２６）の外側部に沿った網目を互い違いに縫うように貫通し且つ前記枠体（Ｆ）のベース（４）に連結される。したがって、前記ネット固定部材（２７）は、前記枠体（Ｆ）のベース（４）にネット（２６）の外側部を固定する。このようにしてネット（２６）を前記ベース（４）に容易に固定することができる。
【００２８】
前記第２発明ないし第５発明のいずれかの水路用安全カバーにおいて、下記の構成要件（Ｂ０１２），（Ｂ０１３）を備えることが可能である。
（Ｂ０１２）前記凹溝（１）に沿って配置された複数の各枠体（Ｆ）のうちの外端に配置された枠体（Ｆ１）の外端面を被覆するように配置された外端面被覆ネット（３１）、
（Ｂ０１３）前記凹溝（１）を横切って配置されるとともに両端部が前記凹溝（１）を形成する両側壁（２，３）に固定され、且つ前記外端面被覆ネット（３１）の下端を支持する外端面被覆ネット下端支持部材（１０）。
【００２９】
前記構成要件（Ｂ０１２），（Ｂ０１３）を備えた本発明の水路用安全カバーでは、外端面被覆ネット（３１）は、前記凹溝（１）に沿って配置された複数の各枠体（Ｆ）のうちの外端に配置された枠体（Ｆ１）の外端面を被覆する。前記凹溝（１）を横切って配置されるとともに両端部が前記凹溝（１）を形成する両側壁（２，３）に固定された外端面被覆ネット下端支持部材（１０）は前記外端面被覆ネット（３１）の下端を支持する。このため、外端からの人間や動物の侵入を防ぐことができる。
水路用安全カバーの上の積雪が多い場合、前記外端に配置された枠体（Ｆ１）は積雪の重量により内方に引っ張られて傾斜する力を受ける。しかしながら、前記外端面被覆ネット（３１）が前記枠体（Ｆ１）を外側下方に引っ張っるので前記傾斜が生じ難くなる。
【００３０】
【発明の実施の形態】
次に図面を参照しながら、農業用水路等の凹溝に人が転落したり、ごみが入ったりするのを防止するために前記凹溝を被覆する本発明の水路用安全カバーの実施の形態の具体例（実施例）を説明するが、本発明は以下の実施例に限定されるものではない。
（実施例１）
図１は本発明の水路用安全カバーの実施例１が用水路の上端を被覆している状態の斜視図である。図２は本発明の水路用安全カバーの端部構成の説明図であり、図２Ａは水路用安全カバーの端部構成の実施例１の説明図、図２Ｂは水路用安全カバーの端部構成の実施例２の説明図である。図３は同実施例１の水路用安全カバーの上面図であり、図２Ａの矢印ＩＩＩから見た図である。図４は同実施例１の水路用安全カバーの側面図で前記図２Ａの矢印ＩＶから見た図である。図５は同実施例１の水路用安全カバーの内側部分の構成説明図であり、前記図３の矢印Ｖ−Ｖから見た部分の拡大図である。
【００３１】
図６はベース、主フレーム、サブフレーム等の連結構造の説明図で、図６Ａは凹溝側壁上端のベースの配置構造を示す図、図６Ｂは外端ではなく中間に配置されたベースと主フレーム、サブフレーム等との連結構造の説明図、図６Ｃは外端に配置されたベースと主フレーム、サブフレーム等との連結構造の説明図である。図７は前記図５の矢印ＶＩＩ−ＶＩＩから見た図で、水路用安全カバーのベースおよびフレームの連結構造の説明図である。図８はメインフレームおよびサブフレームの連結部材の説明図で、図８Ａは前記図２Ａの矢印ＶＩＩＩＡ−ＶＩＩＩＡから見た図、図８Ｂは前記図８Ａの矢印ＶＩＩＩＢから見た図である。
図９は継ぎフレームの説明図で、図９Ａは主フレーム、サブフレームに対する継ぎフレームの配置構造を示す図、図９Ｂは継ぎフレームの構成説明図、図９Ｃは継ぎフレームの他の実施例の説明図である。
【００３２】
図１０は主フレームと継ぎフレームとの連結構造の説明図で、図１０Ａは全体斜視図、図１０Ｂは外端部に配置された主フレームと継ぎフレームとを連結する連結部材であるワイヤティワンの連結前の状態を示す図、図１０Ｃは前記ワイヤティワンの連結状態を示す図、図１０Ｄは中間部に配置された主フレームと継ぎフレームとを連結する連結部材であるトップセッタの連結前の状態を示す図、図１０Ｅは前記トップセッタの連結状態を示す図である。図１１はネットの下端を固定するネット固定部材の説明図で、図１１Ａは水路用安全カバーの全長がベースの長さの奇数倍に近い場合のベースとネット固定部材との配置構造を示す図、図１１Ｂは水路用安全カバーの全長がベースの長さの偶数倍に近い場合のベースとネット固定部材との配置構造を示す図、図１１Ｃはベースとネット固定部材とネットとの構成上の関係を示す図である。
【００３３】
図１２はフレームにネットを固定する結束線および結束線を用いた固定方法の説明図である。図１３はネットの連結方法の説明図で、図１３Ａは斜視図、図１３Ｂは平面図である。図１４は前記図３の矢印ＸＩＶ−ＸＩＶから見た図であり、開閉カバーの回動枠体の説明図である。図１５は前記図３の矢印ＸＶから見た図である。図１６は前記図１５の矢印ＸＶＩ−ＸＶＩから見た図である。図１７は前記図３の矢印ＸＶＩＩから見た図である。図１８は前記図１７の矢印ＸＶＩＩＩ−ＸＶＩＩＩから見た図である。
【００３４】
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００３５】
図１において、農業用水路等の凹溝１は左右方向（Ｙ軸方向）に延びており、前記凹溝１を形成する前後（Ｘ軸方向）に離れた一対の側壁２，３の上端部には、前記凹溝１の上方を前後（Ｘ軸方向）に横切って配置された水路用安全カバーＧが支持されている。水路用安全カバーＧは、前記左右方向（Ｙ軸方向）に延びる側壁２，３に沿って配置され且つ側壁２，３上端部に固定された複数の固定水路用安全カバーＧ１，Ｇ１，…（図３，図４参照）を有している。前記側壁２，３に沿って配置された複数の固定水路用安全カバーＧ１，Ｇ１，…のうち、幾つかの隣接する固定水路用安全カバーＧ１，Ｇ１の間には開閉カバーＧ２を配置するための間隔が設けられている。そして、前記間隔に配置された開閉カバーＧ２はその両隣りの固定水路用安全カバーＧ１，Ｇ１により回動可能に支持されている。
【００３６】
前記固定水路用安全カバーＧ１は、前記各側壁２，３上端部に固定された横断面Ｌ型の金属製のベース４を有している。図６Ａに示すように前記各側壁２，３のベース４は５０ｃｍの長さを有しており、５０ｃｍ間隔で前記各側壁２，３上端部に固定されている。図５から分かるように、長さ５０ｃｍのベース４は、隣接するベース４との間に５０ｃｍの間隔が空いている。
図５、図６Ｂ、図６Ｃにおいて、ベース４はベース固定部材としての埋め込みボルト５およびナット６により前記側壁２または３に固定されている。ベース４の両端面には四角形のプレート状の金属製のガセット７，７が溶接されている。ガセット７には、前記ベース４の延びる方向に垂直な主フレーム装着面７ａおよびサブフレーム装着面７ｂを有している。
前記ガセット７の主フレーム装着面７ａは、金属パイプにより構成された主フレーム８が装着される面であり、前記サブフレーム装着面７ｂは、金属パイプにより構成されたサブフレーム９が装着される面である。
なお本実施例１では、前記主フレーム装着面７ａおよびサブフレーム装着面７ｂとして前記ガセット７の互いに反対側の面を使用しているが、ガセット７の同一側面を使用することも可能である。
図６Ｃに示すように、外端に配置されたベース４の外端のガセット７の主フレーム装着面７ａには主フレーム８およびネット外端面被覆ネット下端支持部材１０（後述）が連結される。
【００３７】
前記主フレーム８は、前記（図１参照）凹溝１を横切る方向に延びて配置されており凹溝１の中央部において一番高い位置に配置される主フレーム中央部８ａと、前記主フレーム中央部８ａから両側に斜め下方に直線状に延びる一対の主フレーム傾斜部８ｂ，８ｂと、前記主フレーム傾斜部８ｂに接続する曲率半径Ｒがフレーム直径Ｄに対してＲ≧４Ｄの主フレーム湾曲部８ｃと、前記主フレーム湾曲部８ｃに接続してほぼ鉛直に下方に延びる主フレーム鉛直部８ｄと、前記主フレーム鉛直部８ｄ下端部が平坦に押し潰された主フレーム装着部８ｅとを有している。前記サブフレーム９は、前記凹溝１を横切る方向に延びて配置されるととも円弧状に湾曲した金属パイプにより構成され、且つ前記主フレーム傾斜部８ｂ，８ｂの下面にそれぞれ接触するフレーム連結部９ａと、両端部が平坦に押し潰されたサブフレーム装着部９ｂ，９ｂとを有している。
【００３８】
図５において、前記ガセット７の主フレーム装着面７ａおよびサブフレーム装着面７ｂに前記主フレーム装着部８ｅとサブフレーム装着部９ｂを押し付けて、それらを貫通する連結ボルト１１とナット１２とにより、主フレーム８およびサブフレーム９をガセット７に固定する。
前記主フレーム傾斜部８ｂ，８ｂおよびその下面に接触するフレーム連結部９ａ，９ａは、図８Ａ、図８Ｂに示すように、Ｕ字ボルト１３、前記Ｕ字ボルト１３両端部にスライド可能に嵌合する押圧プレート１４、およびナット１５，１５により連結される。前記符号１３〜１５で示した要素によりフレーム連結部材（１３〜１５）が構成されている。
また、前記ベース４、主フレーム８、サブフレーム９、およびフレーム連結部材（１３〜１５）により枠体Ｆが構成される。
【００３９】
図３，図４において、前記凹溝１を形成する平行な一対の側壁２，３の上端部に配置された複数の前記枠体Ｆは、前記凹溝に沿って所定間隔離れて配置された一対の固定枠体Ｆ１とその間に配置された回動枠体Ｆ２とを含んでいる。そして、前記固定枠体Ｆ１のベース４（図５参照）は、前記ベース固定部材としての埋め込みボルト５およびナット６により前記側壁２または３の上端部に固定されている。
前記回動枠体Ｆ２の前記前後一対のベース４，４の中の一方のベース４は、前記回動枠体Ｆ２の両側に配置された各固定枠体Ｆ１，Ｆ１のそれぞれの一対のベース４，４の中の一方のベース４に回動可能に連結される。
図３，図４において、各固定枠体Ｆ１，Ｆ１の左右方向の幅は５０ｃｍであり、その左右両端部にそれぞれ前記主フレーム８およびサブフレーム９が配置されている。また、前記回動枠体Ｆ２の左右方向の幅は１００ｃｍであり、その左右両端部およびその左右方向の中央部に前記主フレーム８およびサブフレーム９が配置されている。
したがって本実施例では、主フレーム８およびサブフレーム９の前記凹溝１に沿った間隔は全て５０ｃｍである。
【００４０】
図２〜図４において、前記各固定枠体Ｆ１，Ｆ１の各主フレーム中央部８ａにおいて前記主フレーム８の下面には、前記凹溝１に沿って延びる中央部継ぎフレーム１７が連結されおり、前記各主フレーム湾曲部８ｃまたはその近傍には、前記凹溝１に沿って延びる外側部継ぎフレーム１８が固定されている。
また、前記回動枠体Ｆ２の各主フレーム中央部８ａにおいて前記主フレーム８の下面には、前記凹溝１に沿って延びる中央部継ぎフレーム１７が連結されており、前記回動枠体Ｆ２の各主フレーム湾曲部８ｃまたはその近傍には、前記凹溝１に沿って延びる外側部継ぎフレーム１８が連結されている。
前記中央部継ぎフレーム１７および外側部継ぎフレーム１８はいずれも凹溝１に沿って延びるフレームである。
【００４１】
図９Ａ、図９Ｂに示すように、前記中央部継ぎフレーム１７および外側部継ぎフレーム１８は、一端部に大径のジョイント１７ａ（１８ａ）が設けられている。ジョイント１７ａ（１８ａ）は、他の中央部継ぎフレーム１７および外側部継ぎフレーム１８の小径の他端部１７ｂ（１８ｂ）が嵌合する大きさの穴を有している。なお、前記各継ぎフレーム１７，１８は、図９Ｃに示すように、一端部１７ａ（１８ａ）を絞り成形加工により小径とし、他端部１７ｂ（１８ｂ）に形成されている孔に嵌合させて連結する構成を採用することが可能である。
図１０において、前記中央部継ぎフレーム１７および外側部継ぎフレーム１８の他端部１７ｂ（１８ｂ）は、前記外端の固定枠体Ｆ１の主フレーム８にワイヤティワン１９により連結されており、前記各継ぎフレーム１７，１８の中間部は固定枠体の主フレーム８にトップセッタ２０により連結されている。
【００４２】
前記ワイヤティワン１９は、前記中央部継ぎフレーム１７および外側部継ぎフレーム１８の他端部１７ｂ（１８ｂ）が嵌合する溝を有する継ぎフレーム嵌合部材１９ａおよび前記継ぎフレーム嵌合部材１９ａに連結されて両端部が半円状に曲げられた針金状弾性部材１９ｂにより構成されている。
図１０Ａ〜図１０Ｃにおいて、前記フレーム嵌合部材１９ａは前記主フレーム８の外側面に密着して当接する接合面を有しており、前記接合面を主フレーム８の外側面に当接させた状態で前記針金状弾性部材１９ｂにより前記主フレーム８を巻き込む（図１０Ｂ、図１０Ｃ参照）。そして、前記前記針金状弾性部材１９ｂの先端部を、前記継ぎフレーム嵌合部材１９ａに嵌合する前記中央部継ぎフレーム１７または外側部継ぎフレーム１８の他端部１７ｂ（１８ｂ）に引っ掛けることにより、主フレーム８に前記中央部継ぎフレーム１７または外側部継ぎフレーム１８を連結する。
【００４３】
図１０Ａ、図１０Ｄ，図１０Ｅにおいて、前記トップセッタ２０は、前記中央部継ぎフレーム１７または外側部継ぎフレーム１８に引っ掛ける半円形中央部２０ａと半円状に曲げられた両端部（２０ｂ，２０ｂ）を有する針金状弾性部材により構成されている。前記半円形中央部２０ａを前記中央部継ぎフレーム１７または外側部継ぎフレーム１８に引っ掛けて、前記主フレーム８を前記中央部継ぎフレーム１７または外側部継ぎフレーム１８に押し付ける状態で前記トップセッタ２０の先端部（２０ｂ，２０ｂ）を、前記中央部継ぎフレーム１７または外側部継ぎフレーム１８の他端部１７ｂ（１８ｂ）に引っ掛けることにより、主フレーム８に前記中央部継ぎフレーム１７または外側部継ぎフレーム１８を連結する。
【００４４】
図１５〜図１８において、前記回動枠体Ｆ２およびそれを回動可能に支持する固定枠体Ｆ１は、他の固定枠体Ｆ１の前記図５、図７に示すガセット７の代わりにガセット７′を有している。
図１４〜図１８において、ガセット７′は、外側に突出する貫通孔形成部７ａ′を有している。貫通孔形成部７ａ′には貫通孔７ｂ′（図１６参照）が形成されている。
図１４〜図１６において、回動枠体Ｆ２およびそれに隣接する固定枠体Ｆ１の前記側壁２に支持されるガセット７′の貫通孔７ｂ′は、前記回動連結部材２１のボルト２２が貫通している。前記ボルト２２の外側には前記各ガセット７′，７′の間にスペーサ２３が配置され、前記ボルト２２の先端部にはナット２４が螺合している。前記符号２２〜２４で示された要素により前記回動連結部材２１が構成されている。
【００４５】
前記回動枠体Ｆ２は前記回動連結部材２１を介して前記隣接する固定枠体Ｆ１，Ｆ１により回動可能に連結されている。
図１７，図１８において、回動枠体Ｆ２およびそれに隣接する固定枠体Ｆ１の前記側壁３に支持されるガセット７′の貫通孔７ｂ′には本実施例では、何も貫通しておらず、前記可動枠体Ｆ２の回動時の自由端として回動できるようになっている。なお、前記貫通口７ｂ′には錠前のロックピンを貫通させて、回動枠体Ｆ２の自由な回動を防止するように構成することが可能である。
【００４６】
前記連続して５０ｃｍ間隔で配置された固定枠体Ｆ１，Ｆ１には、ネット２６が被覆され、そのネット２６の外側部（ベース４に固定する部分）に沿った網目を互い違いに縫うように貫通するネット固定部材２７は、ネット固定用ボルト２８により、前記枠体Ｆ１，Ｆ２のベース４に連結される。したがって、前記ネット固定部材２７は、前記固定枠体Ｆ１，Ｆ１のベース４にネット２６の外側部を固定する。
図１１において、前記ベース４と前記ネット固定部材２７との関連を説明する。図１１Ａは長さ５０ｃｍのベース４のみを使用した場合のベース４とネット固定部材２７とを示している。図１１Ａにおいて、複数並んで配置されたベース４のうちのネット２６の取り付けを開始する側の外端を始端とし、ネット２６の取り付けを終了する側の外端を終端とする。
【００４７】
図１１Ａにおいて、前記始端のベース４とその隣のベース４との間では長さ１０８ｃｍのネット固定部材２７を使用する。そして、中間に配置された互いに隣接するベース４の間では長さ９９ｃｍのネット固定部材２７を使用する。そして、終端のベース４では長さ４１ｃｍのネット固定部材２７を使用している。
また、図１１Ｂにおいて、終端のベースとして長さ１００ｃｍのものを使用する場合があるが、この場合は終端のベースで使用するネット固定部材２７は、長さ９１ｃｍのものを使用する。
図１１Ｃは、前記ネット固定用ボルト２８により、ベース４に固定されるネット固定部材２７とネット２６との関連を示している。図１１Ｃに示すように、側壁２，３上端に接近した位置でネット２６の下端を固定しているので、側壁２，３上端から離れた位置で固定する場合に比べてネット２６のバラケの発生等を減少させることができる。また、ネット固定部材２７をベース４に固定するので、ネット２６下端部の固定工事も容易である。
【００４８】
図１２において、前記ネット２６は主フレーム８から浮き上がらないように、結束線２９により連結される。
また図１３において、前記凹溝１に沿って配置されるネット２６は、凹溝１が長い場合は列線３０により連結される。列線３０は連結するネット２６，２６の網目を縫うように配置される。
【００４９】
前記複数の固定枠体Ｆ１、それらを連結する中央部継ぎフレーム１７、外側部継ぎフレーム１８およびそれらを被覆するネット２６等により固定水路用安全カバーＧ１が構成されている。
図３、図４において、前記回動枠体Ｆ２には、回動枠用のネット２６′が被覆され、そのネット２６′は、前記ネット２６を固定する前記ネット固定部材２７と同様の構成を有する回動枠体用ネット固定部材により、前記可動枠体Ｆ２のベース４に固定されている。
前記回動枠体Ｆ２、中央部継ぎフレーム１７′外側部継ぎフレーム１８′およびそれらを被覆する回動枠体用のネット２６′等により開閉カバーＧ２が構成されている。
【００５０】
水路用安全カバーの端部構成の実施例１の説明図である図２Ａにおいて、前記ネット２６は、前記凹溝１に沿って配置された複数の各固定枠体Ｆ１のうちの外端に配置された固定枠体Ｆ１の外端面を被覆する外端面被覆ネット３１を有している。前記外端面被覆ネット３１の上端部は結束線２９（結束線２９については前記図１２参照）により前記主フレーム８に固定されている。前記外端面被覆ネット３１の下端を支持する外端面被覆ネット下端支持部材１０は、前記凹溝１を横切って配置されるとともにその両端部が前記凹溝１を形成する両側壁２，３に前記ガセット７を介して固定される。
水路用安全カバーの端部構成の実施例２の説明図である図２Ｂにおいて、外端面被覆ネット３１は側壁２，３の端面に沿って前記ベース４よりも下方に延びており、その下端部は外端面被覆ネット下端支持部材１０により支持されている。また、外端面被覆ネット３１の両側部は外端面被覆ネット側部支持部材３２により前記側壁２，３の端面に固定されている。
【００５１】
（実施例１の作用）
図５，図６において、前記構成を備えた本出願の水路用安全カバーの実施例１では、金属製のベース４は、凹溝１を形成する一対の側壁２，３の上端部にそれぞれ配置され且つ前記各側壁２，３に沿って延びている。前記一対のベース４の両端にそれぞれ固定されたプレート状の金属製のガセット７の主フレーム装着面７ａおよびサブフレーム装着面７ｂには金属製のパイプにより構成された主フレーム８およびサブフレーム９の両端部の平坦に押し潰された主フレーム装着部８ｅおよびサブフレーム装着部９ｂが装着され、固定される。
図１，図２において、前記主フレーム８およびサブフレーム９は前記凹溝１を横切る方向に延びて配置され、前記主フレーム８の主フレーム中央部８ａから両側に斜め下方に直線状に延びる一対の主フレーム傾斜部８ｂとサブフレーム９のフレーム連結部９ａとは、主フレーム傾斜部８ｂ下面にフレーム連結部９ａが接触した状態で、前記図８に示すフレーム連結部材（１３〜１５）により連結される。
【００５２】
フレーム連結部材（１３〜１５）により主フレーム８およびサブフレーム９を連結するので、連結しない場合よりも剛性が高くなる。そして、主フレーム８に作用する荷重を主フレーム８およびサブフレーム９で受けるので、大きな荷重に耐えることが可能となる。
前記主フレーム装着部８ｅは金属パイプの外端部が平坦に押し潰されて形成されるので、前記プレート状のガセット７の主フレーム装着面７ａに容易に装着することができる。
また、前記主フレーム傾斜部８ｂおよび鉛直に下方に延びる主フレーム鉛直部８ｄを接続する主フレーム湾曲部８ｃは、曲率半径Ｒがフレーム直径Ｄに対してＲ≧４Ｄに設定されているため、ツブレ、シワ等が発生せず、応力集中が発生しないので、丈夫で長期間安全に使用することができる。
【００５３】
前記ベース４、主フレーム８、サブフレーム９、およびフレーム連結部材（１３〜１５）により枠体Ｆが構成される。そして、複数の前記枠体Ｆは、前記凹溝１を形成する一対の側壁２，３の上端部に、所定の間隔で配置される。前記複数の枠体Ｆは、前記凹溝１に沿って所定間隔離れて配置された一対の固定枠体Ｆ１とその間に配置された回動枠体Ｆ２とを含む。ベース固定部材（５，６）は、前記一対の固定枠体Ｆ１の各ベース４を前記凹溝１を形成する一対の側壁２，３の上端部に固定する。
前記凹溝１に沿って延び且つ前記複数の各主フレーム中央部８ａにおいて前記主フレーム８に連結される中央部継ぎフレーム１７および前記凹溝１に沿って延び且つ前記各主フレーム湾曲部８ｃまたはその近傍において前記主フレーム８に固定される外側部継ぎフレーム１８は、前記枠体Ｆ，Ｆ１の強度を向上させることができる。
【００５４】
前記複数の固定枠体Ｆ１、それらを連結する中央部継ぎフレーム１７、外側部継ぎフレーム１８等はネット２６により被覆され、ネット２の外側部（ベース４に固定する部分）に沿った網目を互い違いに縫うように貫通するネット固定部材２７は、ネット固定用ボルト２８により、前記枠体Ｆ１のベース４に連結される。
前記複数の固定枠体Ｆ１、それらを連結する中央部継ぎフレーム１７、外側部継ぎフレーム１８およびそれらを被覆するネット２６等により構成された固定水路用安全カバーＧ１および、前記回動枠体Ｆ２、中央部継ぎフレーム１７′外側部継ぎフレーム１８′およびそれらを被覆する回動枠体用のネット２６′等により構成された開閉カバーＧ２等により水路用安全カバーＧが構成されている。
前記水路用安全カバーＧは丈夫であり、人が上に乗っても壊れることがない。また、前記凹溝１内への作業員の出入時等の必要な時には、前記開閉カバーＧ２を開くことにより、作業員が凹溝１内に出入することができる。
【００５５】
（実施例２）
図１９は水路用安全カバーの実施例２の上面図であり、前記実施例１の図３に対応する図である。図２０は前記図１９の矢印ＸＸ−ＸＸから見た図である。図２１は前記図１９の矢印ＸＸＩ−ＸＸＩから見た図である。図２２は前記図１９の矢印ＸＸＩＩから見た拡大図で、前記実施例１の図１７に対応する図である。図２３は前記図２２の矢印ＸＸＩＩＩ−ＸＸＩＩＩから見た図である。図２４は開閉カバーの斜視図で、図２４Ａは前記図１９〜図２３に示す実施例２の開閉カバーの斜視図、図２４Ｂは実施例２の開閉カバーの変更例の斜視図である。
なお、この実施例２の説明において、前記実施例１の構成要素に対応する構成要素には同一の符号を付して、その詳細な説明を省略する。
図１９〜図２３において、前記ベース固定部材としての埋め込みボルト５およびナット６により前記側壁２または３の上端部に固定されたベース４に支持され且つ隣接して配置された一対の主フレーム間において、前記中央部継ぎフレーム１７の片側部分のネット２６は除かれている。
【００５６】
前記ネット切除部分に配置された回動フレームＦ２′は、前記中央部継ぎフレーム１７に回動可能に支持された円筒部材３３（図２１参照）と前記円筒部材３３に溶接された回動用主フレーム８′および回動用サブフレーム９′を有している。前記回動用主フレーム８′および回動用サブフレーム９′は、前記主フレーム８およびサブフレーム９を２分割した形状を有している。
すなわち、図２０に示すように、回動用主フレーム８′は、前記凹溝１の中央部において一番高い位置に配置され且つ前記円筒部材３３に溶接される主フレーム中央部８ａ′と、前記主フレーム中央部８ａ′から斜め下方且つ後方に直線状に延びる主フレーム傾斜部８ｂ′と、前記主フレーム傾斜部８ｂ′に接続する曲率半径Ｒがフレーム直径Ｄに対してＲ≧４Ｄの主フレーム湾曲部８ｃ′と、前記主フレーム湾曲部８ｃ′に接続してほぼ鉛直に下方に延びる主フレーム鉛直部８ｄ′と、前記主フレーム鉛直部８ｄ′下端部が平坦に押し潰された主フレーム装着部８ｅ′とを有している。
【００５７】
図２０において、前記回動用サブフレーム９′は、前記凹溝１を横切る方向に延びて配置されるととも円弧状に湾曲した金属パイプにより構成され、一端部（溶接端部）は前記円筒部材３３に溶接されている。前記回動用サブフレーム９′は、前記主フレーム傾斜部８ｂ′の下面に接触するフレーム連結部９ａ′と、他端部を平坦に押し潰して形成したサブフレーム装着部９ｂ′とを有している。
前記符号３３，８′，９′，７′，４等で示された要素により回動フレームＦ２′が構成されている。
図２２において、前記回動フレームＦ２′には、回動フレームＦ２′の外側を被覆するように回動フレーム用ネット２６″が配置され、前記実施例１のネット２６を固定する前記ネット固定部材２７と同様の構成を有する回動枠体用ネット固定部材により、前記回動フレームＦ２′のベース４に固定されている。ネット２６″の他の部分は前記結束線（図１２参照）により主フレーム８′に固定されている。
前記回動フレームＦ２′および回動フレーム用ネット２６″により開閉カバーＧ２が構成されている。
【００５８】
また、前記回動可能な円筒部材３３に隣接して金網固定部材３４が配置されている。この金網固定部材３４は、図８に示すフレーム連結部材（１３〜１５）により、固定枠体Ｆ１の主フレーム８に連結されている。前記金網固定部材３４には、前記固定枠体Ｆ１を被覆するネット２６の端部が前記結束線（図１２参照）により連結される。
【００５９】
（実施例２の作用）
本発明の水路用安全カバーの実施例２では、前記ネット２６は、前記ベース固定部材（５，６）により固定されたベース４に支持され且つ隣接して配置された一対の主フレーム８間において前記中央部継ぎフレーム１７の片側部分が除去される。前記ネット切除部分に配置された回動フレームＦ２′は、前記中央部継ぎフレーム１７に回動可能に支持される。前記回動フレームＦ２′に支持された回動フレーム用ネット２６″は、回動フレームＦ２′の外側を被覆する。
前記回動フレーム用ネット２６″に被覆された回動フレームＦ２′を回動させることにより、作業員の凹溝１内への出入が可能となる。
【００６０】
図２４Ｂは前記実施例２で説明した開閉カバーＧ２の変更例である。
図２４Ｂにおいて、前記中央部継ぎフレーム１７は、前記図２４Ａと異なり中断されることなく、連続して延びている。そして、前記中央部継ぎフレーム１７に隣接して軸３６が配置され、この軸３６は前記金網固定部材３４と同様に、図８に示すフレーム連結部材（１３〜１５）により、固定枠体Ｆ１の主フレーム８に連結されている。開閉カバーＧ２は、前記軸３６の回りに回動可能に支持された円筒軸３７を有している。したがって開閉カバーＧ２は前記軸３６回りに回動可能である。
【００６１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ０１）主フレーム８およびサブフレーム９を構成するパイプの径および厚さは適当なものを採用することができる。
（Ｈ０２）前記凹溝１に沿った主フレーム８およびサブフレーム９の間隔は、凹溝１の幅、主フレーム８およびサブフレーム９のパイプの径、肉厚等に応じて、適切な間隔で配置することができる。
【００６２】
【発明の効果】
前記構成を備えた本発明は下記の効果（Ｅ０１）〜（Ｅ０３）を奏する。
（Ｅ０１）凹溝（水路等）に人が落ちたりごみが入るのを防止するために前記凹溝を被覆する水路用安全カバーの枠体へのカバーネットの固定作業や、凹溝を横切るフレームと凹溝に沿う継ぎフレームとの連結作業等の作業性を向上させることができる。
（Ｅ０２）前記水路用安全カバーのネットの下端部を確実に固定するとともに水路用安全カバーの下部からごみ等が前記凹溝に入らないようにすることができる。
（Ｅ０３）前記水路用安全カバーの凹溝に沿った外端に配置されたメインフレームが、水路用安全カバー上の積雪荷重により内側に傾斜するのを防止することができる。
【図面の簡単な説明】
【図１】図１は本発明の水路用安全カバーの実施例１が用水路の上端を被覆している状態の斜視図である。
【図２】図２は本発明の水路用安全カバーの端部構成の説明図であり、図２Ａは水路用安全カバーの端部構成の実施例１の説明図、図２Ｂは水路用安全カバーの端部構成の実施例２の説明図である。
【図３】図３は同実施例１の水路用安全カバーの上面図であり、図２Ａの矢印ＩＩＩから見た図である。
【図４】図４は同実施例１の水路用安全カバーの側面図で前記図２Ａの矢印ＩＶから見た図である。
【図５】図５は同実施例１の水路用安全カバーの内側部分の構成説明図であり、前記図３の矢印Ｖ−Ｖから見た部分の拡大図である。
【図６】図６はベース、主フレーム、サブフレーム等の連結構造の説明図で、図６Ａは凹溝の側壁上端のベースの配置構造を示す図、図６Ｂは外端ではなく中間に配置されたベースと主フレーム、サブフレーム等との連結構造の説明図、図６Ｃは外端に配置されたベースと主フレーム、サブフレーム等との連結構造の説明図である。
【図７】図７は前記図５の矢印ＶＩＩ−ＶＩＩから見た図で、水路用安全カバーのベースおよびフレームの連結構造の説明図である。
【図８】図８はメインフレームおよびサブフレームの連結部材の説明図で、図８Ａは前記図２Ａの矢印ＶＩＩＩＡ−ＶＩＩＩＡから見た図、図８Ｂは前記図８Ａの矢印ＶＩＩＩＢから見た図である。
【図９】図９は継ぎフレームの説明図で、図９Ａは主フレーム、サブフレームに対する継ぎフレームの配置構造を示す図、図９Ｂは継ぎフレームの構成説明図、図９Ｃは継ぎフレームの他の実施例の説明図である。
【図１０】図１０は主フレームと継ぎフレームとの連結構造の説明図で、図１０Ａは全体斜視図、図１０Ｂは外端部に配置された主フレームと継ぎフレームとを連結する連結部材であるワイヤティワンの連結前の状態を示す図、図１０Ｃは前記ワイヤティワンの連結状態を示す図、図１０Ｄは中間部に配置された主フレームと継ぎフレームとを連結する連結部材であるトップセッタの連結前の状態を示す図、図１０Ｅは前記トップセッタの連結状態を示す図である。
【図１１】図１１はネットの下端を固定するネット固定部材の説明図で、図１１Ａは水路用安全カバーの全長がベースの長さの奇数倍に近い場合のベースとネット固定部材との配置構造を示す図、図１１Ｂは水路用安全カバーの全長がベースの長さの偶数倍に近い場合のベースとネット固定部材との配置構造を示す図、図１１Ｃはベースとネット固定部材とネットとの構成上の関係を示す図である。
【図１２】図１２はフレームにネットを固定する結束線および結束線を用いた固定方法の説明図である。
【図１３】図１３はネットの連結方法の説明図で、図１３Ａは斜視図、図１３Ｂは平面図である。
【図１４】図１４は前記図３の矢印ＸＩＶ−ＸＩＶから見た図であり、開閉カバーの回動枠体の説明図である。
【図１５】図１５は前記図３の矢印ＸＶから見た図である。
【図１６】図１６は前記図１５の矢印ＸＶＩ−ＸＶＩから見た図である。
【図１７】図１７は前記図３の矢印ＸＶＩＩから見た図である。
【図１８】図１８は前記図１７の矢印ＸＶＩＩＩ−ＸＶＩＩＩから見た図である。
【図１９】図１９は水路用安全カバーの実施例２の上面図であり、前記実施例１の図３に対応する図である。
【図２０】図２０は前記図１９の矢印ＸＸ−ＸＸから見た図である。
【図２１】図２１は前記図１９の矢印ＸＸＩ−ＸＸＩから見た図である。
【図２２】図２２は前記図１９の矢印ＸＸＩＩから見た拡大図で、前記実施例１の図１７に対応する図である。
【図２３】図２３は前記図２２の矢印ＸＸＩＩＩ−ＸＸＩＩＩから見た図である。
【図２４】図２４は開閉カバーの斜視図で、図２４Ａは前記図１９〜図２３に示す実施例２の開閉カバーの斜視図、図２４Ｂは実施例２の開閉カバーの変更例の斜視図である。
【図２５】図２５は従来のネット固定方法の説明図である。
【図２６】図２６は水路用安全カバー上の積雪の荷重が水路用安全カバーの外端のフレームに作用する力の説明図で、図２６Ａは積雪を省略した状態の水路用安全カバー全体の斜視図、図２６Ｂは、前記図２６Ａの矢印ＸＸＶＩＢから見た水路用安全カバーの積雪がある状態を示す図である。
【符号の説明】
Ｆ…枠体、Ｆ１…固定枠体、Ｆ２…回動枠体、Ｆ２′…回動フレーム、
１…凹溝、２，３…側壁、４…ベース、７…ガセット、７ａ…主フレーム装着面、７ｂ…サブフレーム装着面、８…主フレーム、８ａ…主フレーム中央部、８ｂ…主フレーム傾斜部、８ｃ…主フレーム湾曲部、８ｄ…主フレーム鉛直部、８ｅ…主フレーム装着部、９…サブフレーム、９ａ…フレーム連結部、９ｂ…サブフレーム装着部、１７…中央部継ぎフレーム、１８…外側部継ぎフレーム、２１…回動連結部材、２６…固定枠体用のネット、２６′…回動枠体用のネット、２６″…回動フレーム用ネット、
（５，６）…ベース固定部材、
（１３〜１５）…フレーム連結部材、
【図１】
2004003342.tif 000003
【図２】
2004003342.tif 000004
【図３】
2004003342.tif 000005
【図４】
2004003342.tif 000006
【図５】
2004003342.tif 000007
【図６】
2004003342.tif 000008
【図７】
2004003342.tif 000009
【図８】
2004003342.tif 000010
【図９】
2004003342.tif 000011
【図１０】
2004003342.tif 000012
【図１１】
2004003342.tif 000013
【図１２】
2004003342.tif 000014
【図１３】
2004003342.tif 000015
【図１４】
2004003342.tif 000016
【図１５】
2004003342.tif 000017
【図１６】
2004003342.tif 000018
【図１７】
2004003342.tif 000019
【図１８】
2004003342.tif 000020
【図１９】
2004003342.tif 000021
【図２０】
2004003342.tif 000022
【図２１】
2004003342.tif 000023
【図２２】
2004003342.tif 000024
【図２３】
2004003342.tif 000025
【図２４】
2004003342.tif 000026
【図２５】
2004003342.tif 000027
【図２６】
2004003342.tif 000028